(57)【要約】【課題】簡便にペアリングが可能な送受信システム、ペアリング方法及びペアリングプログラムを提供する。【解決手段】サーバー装置１１において、送信端末装置１２からの要求に応じシステム毎にかつ当該送信端末装置１２毎に固有のコードを発行し、送信端末装置１２に通知するステップと、送信端末装置１２において、サーバー装置１１から通知された固有のコードを表示するとともに、ペアリングしたい受信端末装置１３において、送信端末装置１２に表示されている、送信端末装置１２に係る固有のコードを画像取得するステップと、受信端末装置１３からサーバー装置１１へ、送信端末装置１２に係る固有のコードを通知するとともに、サーバー装置１１において、送信端末装置１２に係る固有のコードに基いて当該送信端末装置１２と当該受信端末装置１３とをペアリングするステップと、を備える。【選択図】図１
2019028627.tif 000002
【特許請求の範囲】
【請求項１】
一又は複数の送信端末装置と、
一又は複数の受信端末装置と、
前記送信端末装置と前記受信端末装置に接続されるサーバー装置と、
を備え、
前記送信端末装置が、
当該送信端末装置に係る固有のコードを格納するコード格納部と、
前記コード格納部に格納された固有のコードを表示する表示部と、
を備え、
前記受信端末装置が、
前記送信端末装置の前記表示部に表示された前記送信端末装置に係る固有のコードを画像取得する画像取得部と、
前記画像取得部で取得した前記送信端末装置に係る固有のコードを前記サーバー装置に送信する処理部と、
を備え、
前記サーバー装置が、
前記送信端末装置からの要求に応じて、当該送信端末装置に係る固有のコードを発行する発行部と、
前記受信端末装置の前記処理部から送信された前記送信端末装置に係る固有のコードに基いて、当該受信端末装置と当該受信端末装置とをペアリングするペアリング部と、
を備える、送受信システム。
【請求項２】
前記受信端末装置が、
前記画像取得部で取得した、前記送信端末装置に係る固有のコードを格納するコード格納部と、
前記受信端末装置の前記コード格納部に格納されている、前記送信端末装置に係る固有のコードを表示する表示部と、
を備え、
前記画像取得部が、他の前記受信端末装置の前記表示部に表示されている、前記送信端末装置に係る固有のコードを画像取得する、請求項１に記載の送受信システム。
【請求項３】
前記サーバー装置が、前記送信端末装置からイベント発生を受信すると、当該イベント発生を送信した前記送信端末装置とペアリングされている前記受信端末装置を割り出し、その割り出した前記受信端末装置に対して当該イベント発生を通知する処理部を備える、請求項１又は２に記載の送受信システム。
【請求項４】
前記送信端末装置および前記受信端末装置に対してアプリケーションプログラムを提供するアプリケーションプログラム提供サーバー装置を備える、請求項１ないし３の何れか１項に記載の送受信システム。
【請求項５】
サーバー装置に接続される一又は複数の送信端末装置と一又は複数の受信端末装置とをペアリングするペアリング方法であり、
前記サーバー装置において、前記送信端末装置からの要求に応じて、システム毎に、かつ当該送信端末装置毎に固有のコードを発行して、当該送信端末装置に係る固有のコードを当該送信端末装置に通知するステップと、
前記送信端末装置において、前記サーバー装置から通知された当該送信端末装置に係る固有のコードを表示するとともに、ペアリング対象の前記受信端末装置において、前記送信端末装置に表示されている、前記送信端末装置に係る固有のコードを画像取得するステップと、
前記受信端末装置から前記サーバー装置へ、前記送信端末装置に係る固有のコードを通知するとともに、前記サーバー装置において、前記送信端末装置に係る固有のコードに基いて当該送信端末装置と当該受信端末装置とをペアリングするステップと、
を備える、ペアリング方法。
【請求項６】
前記受信端末装置において、ペアリング対象の前記送信端末装置から、当該送信端末装置に係る固有のコードの通知を受けると、当該送信端末装置に係る固有のコードを格納しておき、
前記受信端末装置において、当該送信端末装置に係る固有のコードを、他の前記受信端末装置に引き継がせる際には、格納している当該送信端末装置に係る固有のコードを表示するとともに、引き継ぎ先の前記受信端末装置において、引き継ぎ元の前記受信端末装置に表示されている、当該送信端末装置に係る固有のコードを画像取得するステップと、
引き継ぎ先の前記受信端末装置から前記サーバー装置へ、前記送信端末装置に係る固有のコードを通知するとともに、前記サーバー装置において、前記送信端末装置に係る固有のコードに基いて当該送信端末装置と引き継ぎ先の当該受信端末装置とをペアリングするステップと、
を備える、請求項５に記載のペアリング方法。
【請求項７】
サーバー装置に接続される一又は複数の送信端末装置と一又は複数の受信端末装置とをペアリングするペアリングプログラムであり、
前記ペアリングプログラムが前記送信端末装置にタウンロードされて実行されることにより、前記送信端末装置が、
前記サーバー装置に対し、システム毎に、かつ当該送信端末装置毎に固有のコードの発行を要求するステップと、
発行された当該送信端末装置に係る固有のコードを格納して表示するステップと、
を行い、
前記ペアリングプログラムが前記受信端末装置にタウンロードされて実行されることにより、前記受信端末装置が、
ペアリング対象の前記送信端末装置において表示されている、当該送信端末装置に係る固有のコードを画像取得するとともに、当該送信端末装置に係る固有のコードを前記サーバー装置に通知するステップ
を行い、
前記ペアリングプログラムが前記サーバー装置にタウンロードされて実行されることにより、前記サーバー装置が、
前記送信端末装置から、固有のコードの発行要求を受けると、当該送信端末装置に係る固有のコードを発行して、当該送信端末装置に通知するステップと、
前記受信端末装置から、ペアリングの対象となる、送信端末装置に係る固有のコードの通知を受けると、当該送信端末装置に係る固有のコードに基いて、送信端末装置と受信端末装置とをペアリングするステップ
を行う、
ペアリングプログラム。
【請求項８】
前記ペアリングプログラムが、前記受信端末装置にダウンロードされて実行されることにより、前記受信端末装置が、
ペアリング対象の前記送信端末装置から、当該送信端末装置に係る固有のコードを画像取得する際、当該送信端末装置に係る固有のコードを格納するステップと、
この格納した当該送信端末装置に係る固有のコードを、引き継ぎ先の前記受信端末装置に対し、表示するステップと、
他の引き継ぎ先の前記受信端末装置が表示する引き継ぎ対象の前記送信端末装置に係る固有のコードを画像取得するステップと、
を行う、請求項７に記載のペアリングプログラム。
【発明の詳細な説明】
【技術分野】
【０００１】
本発明は、サーバー装置に接続される一又は複数の送信端末装置と一又は複数の受信端末装置とをペアリングする、送受信システム、ペアリング方法及びペアリングプログラムに関する。
【背景技術】
【０００２】
医療機関では、病棟のベッドには各種センサが取り付けられており、センサからの警告がナースステーションに連絡されるようシステム化されている。一方において、Google（登録商標）社において、ファイアーベースが開発されている。
【先行技術文献】
【特許文献】
【０００３】
【特許文献１】ＷＯ２００９／０６０８６３
【特許文献２】特開２０１７−７３０１８号公報
【特許文献３】特開２００８−９９２６７号公報
【発明の概要】
【発明が解決しようとする課題】
【０００４】
前述の医療機関でのシステム化では、患者担当者に対して個別に警告が通知されていないため、センサを管理する端末装置と患者担当者が使用する端末装置とをペアリングすることが考えられる。しかしながら、ペアリングを登録する際にパーソナルコンピュータ、タブレットコンピュータなどの端末装置を使用すると、端末操作に手間が掛かる。さらに、担当者が患者を引き続く際には、勤務シフトの交代と同じタイミングで行う必要があるため、簡便なペアリング方法が求められる。
【０００５】
さらに、医療機関のみならず、各種生産現場においても多種多様なセンサが使用されており、センサからの警告を受ける担当者が使用する端末装置においても、センサを管理する端末装置との間で簡便なペアリング方法が求められる。
【０００６】
そこで、本発明においては、簡便にペアリングをすることができる、送受信システム、ペアリング方法及びペアリングプログラムを提供することを目的とする。
【０００７】
本発明のコンセプトは、次の通りである。
［１］一又は複数の送信端末装置と、
一又は複数の受信端末装置と、
前記送信端末装置と前記受信端末装置に接続されるサーバー装置と、
を備え、
前記送信端末装置が、
当該送信端末装置に係る固有のコードを格納するコード格納部と、
前記コード格納部に格納された固有のコードを表示する表示部と、
を備え、
前記受信端末装置が、
前記送信端末装置の前記表示部に表示された前記送信端末装置に係る固有のコードを画像取得する画像取得部と、
前記画像取得部で取得した前記送信端末装置に係る固有のコードを前記サーバー装置に送信する処理部と、
を備え、
前記サーバー装置が、
前記送信端末装置からの要求に応じて、当該送信端末装置に係る固有のコードを発行する発行部と、
前記受信端末装置の前記処理部から送信された前記送信端末装置に係る固有のコードに基いて、当該受信端末装置と当該受信端末装置とをペアリングするペアリング部と、
を備える、送受信システム。
［２］前記受信端末装置が、
前記画像取得部で取得した、前記送信端末装置に係る固有のコードを格納するコード格納部と、
前記受信端末装置の前記コード格納部に格納されている、前記送信端末装置に係る固有のコードを表示する表示部と、
を備え、
前記画像取得部が、他の前記受信端末装置の前記表示部に表示されている、前記送信端末装置に係る固有のコードを画像取得する、前記［１］に記載の送受信システム。
［３］前記サーバー装置が、前記送信端末装置からイベント発生を受信すると、当該イベント発生を送信した前記送信端末装置とペアリングされている前記受信端末装置を割り出し、その割り出した前記受信端末装置に対して当該イベント発生を通知する処理部を備える、前記［１］又は［２］に記載の送受信システム。
［４］前記送信端末装置および前記受信端末装置に対してアプリケーションプログラムを提供するアプリケーションプログラム提供サーバー装置を備える、前記［１］ないし［３］の何れか１項に記載の送受信システム。
［５］サーバー装置に接続される一又は複数の送信端末装置と一又は複数の受信端末装置とをペアリングするペアリング方法であり、
前記サーバー装置において、前記送信端末装置からの要求に応じて、システム毎に、かつ当該送信端末装置毎に固有のコードを発行して、当該送信端末装置に係る固有のコードを当該送信端末装置に通知するステップと、
前記送信端末装置において、前記サーバー装置から通知された当該送信端末装置に係る固有のコードを表示するとともに、ペアリング対象の前記受信端末装置において、前記送信端末装置に表示されている、前記送信端末装置に係る固有のコードを画像取得するステップと、
前記受信端末装置から前記サーバー装置へ、前記送信端末装置に係る固有のコードを通知するとともに、前記サーバー装置において、前記送信端末装置に係る固有のコードに基いて当該送信端末装置と当該受信端末装置とをペアリングするステップと、
を備える、ペアリング方法。
［６］前記受信端末装置において、ペアリング対象の前記送信端末装置から、当該送信端末装置に係る固有のコードの通知を受けると、当該送信端末装置に係る固有のコードを格納しておき、
前記受信端末装置において、当該送信端末装置に係る固有のコードを、他の前記受信端末装置に引き継がせる際には、格納している当該送信端末装置に係る固有のコードを表示するとともに、引き継ぎ先の前記受信端末装置において、引き継ぎ元の前記受信端末装置に表示されている、当該送信端末装置に係る固有のコードを画像取得するステップと、
引き継ぎ先の前記受信端末装置から前記サーバー装置へ、前記送信端末装置に係る固有のコードを通知するとともに、前記サーバー装置において、前記送信端末装置に係る固有のコードに基いて当該送信端末装置と引き継ぎ先の当該受信端末装置とをペアリングするステップと、
を備える、前記［５］に記載のペアリング方法。
［７］サーバー装置に接続される一又は複数の送信端末装置と一又は複数の受信端末装置とをペアリングするペアリングプログラムであり、
前記ペアリングプログラムが前記送信端末装置にタウンロードされて実行されることにより、前記送信端末装置が、
前記サーバー装置に対し、システム毎に、かつ当該送信端末装置毎に固有のコードの発行を要求するステップと、
発行された当該送信端末装置に係る固有のコードを格納して表示するステップと、
を行い、
前記ペアリングプログラムが前記受信端末装置にタウンロードされて実行されることにより、前記受信端末装置が、
ペアリング対象の前記送信端末装置において表示されている、当該送信端末装置に係る固有のコードを画像取得するとともに、当該送信端末装置に係る固有のコードを前記サーバー装置に通知するステップ
を行い、
前記ペアリングプログラムが前記サーバー装置にタウンロードされて実行されることにより、前記サーバー装置が、
前記送信端末装置から、固有のコードの発行要求を受けると、当該送信端末装置に係る固有のコードを発行して、当該送信端末装置に通知するステップと、
前記受信端末装置から、ペアリングの対象となる、送信端末装置に係る固有のコードの通知を受けると、当該送信端末装置に係る固有のコードに基いて、送信端末装置と受信端末装置とをペアリングするステップ
を行う、
ペアリングプログラム。
［８］  前記ペアリングプログラムが、前記受信端末装置にダウンロードされて実行されることにより、前記受信端末装置が、
ペアリング対象の前記送信端末装置から、当該送信端末装置に係る固有のコードを画像取得する際、当該送信端末装置に係る固有のコードを格納するステップと、
この格納した、当該送信端末装置に係る固有のコードを、引き継ぎ先の前記受信端末装置に対し、表示するステップと、
他の引き継ぎ先の前記受信端末装置が表示する引き継ぎ対象の前記送信端末装置に係る固有のコードを画像取得するステップと、
を行う、請求項７に記載のペアリングプログラム。
【発明の効果】
【０００８】
本発明によれば、送信端末装置が、サーバー装置から発行された当該送信端末装置に係る固有のコードを表示し、当該送信端末装置とペアリングする受信端末装置が、当該送信端末装置に係る固有のコードを画像取得してサーバー装置に通知するため、サーバー装置が当該送信端末装置に係る固有のコードに基いて、送信端末装置と受信端末装置をペアリングすることができる。送信端末装置を設置する者は、サーバー装置から当該送信端末装置に係る固有のコードを発行してもらってペアリング対象の受信端末装置に対して表示し、受信端末装置を使用する者は、ペアリング対象の送信端末装置から当該送信端末装置に係る固有のコードを画像取得して、サーバー装置に通知するという、極めて簡便に、送信端末装置と受信端末装置とをペアリングすることができる。
【図面の簡単な説明】
【０００９】
【図１】本発明の実施形態に係る送受信システムの構成図である。
【図２】図１に示す送信端末装置の構成図である。
【図３】図１に示す受信端末装置の構成図である。
【図４】図１に示すサーバー装置の構成図である。
【図５】図１に示す送受信システムにおいて、送信端末装置および受信端末装置がアプリケーションプログラムを取得するシーケンス図である。
【図６】図１に示す送受信システムにおいて、送信端末装置がサーバー装置から固有のコードを発行してもらって取得するまでのシーケンス図である。
【図７】図１に示す送受信システムにおいて、送信端末装置がペアリングする受信端末装置に対して固有のコードを表示し、受信端末装置がその固有のコードを取得してサーバー装置に通知してペアリングするまでのシーケンス図である。
【図８】図７に示すシーケンスにおいて、送信端末装置及び受信端末装置の概略を示す図である。
【図９】図１に示す送受信システムにおいて、送信端末装置からイベント発生があり、サーバー装置経由で、受信端末装置に通知されるまでのシーケンス図である。
【図１０】図１に示す送受信システムにおいて、受信端末装置が他の受信端末装置に、送信端末装置の固有のコードを引き継ぐ際のシーケンス図である。
【図１１】図１０に示すシーケンスにおいて、受信端末装置と他の受信端末装置の概略を示す図である。
【発明を実施するための形態】
【００１０】
以下、図面を参照しながら本発明を実施するための形態について詳細に説明する。なお、本発明の実施形態は、図示した形態に限らず、本発明のコンセプトの範囲で、構成の変更、削除した形態も含まれる。
【００１１】
図１は、本発明の実施形態に係る送受信システムの構成図である。本発明の実施形態に係る送受信システム１は、サーバー装置１１と、一又は複数の送信端末装置１２（１２Ａ，１２Ｂ，１２Ｃ，・・・）と、一又は複数の受信端末装置１３（１３Ａ，１３Ｂ，・・・）と、アプリケーションプログラム提供サーバー装置１４と、がネットワーク１５により接続可能に構築されている。すなわち、サーバー装置１１は、送信端末装置１２、受信端末装置１３およびアプリケーションプログラム提供サーバー装置１４にネットワーク１５を経由して接続可能であり、送信端末装置１２および受信端末装置１３は、サーバー装置１１およびアプリケーションプログラム提供サーバー装置１４にネットワーク１５を経由して接続可能である。ただし、送信端末装置１２と受信端末装置１３とは、何れもサーバー装置１１を経由してのみ接続可能である。ネットワーク１５は、インターネットなどの公衆ネットワークでも、構内ＬＡＮなどのプライベートネットワークでも、それらの組み合わせでもよい。
【００１２】
図２は、図１に示す送信端末装置１２の構成図である。送信端末装置１２は、ネットワーク１５経由でサーバー装置１１およびアプリケーションプログラム提供装置１４に通信接続して、各種データ、アプリケーションプログラムなどを送受信するための通信部１２ａと、サーバー装置１１に通信部１２ａを経由してアクセスして当該送信端末装置１２に係る固有のコードを要求し、その要求に応じて発行されたコードをコード格納部１２ｄに格納するとともに表示部１２ｅに表示するなどの処理を行う処理部１２ｂと、当該送信端末装置に係る固有のコードを格納するコード格納部１２ｄと、コード格納部１２ｄに格納された固有のコードを表示する表示部１２ｅを備える。
【００１３】
図３は、図１に示す受信端末装置１３の構成図である。受信端末装置１３は、ネットワーク１５経由でサーバー装置１１およびアプリケーションプログラム提供装置１４に通信接続して、各種データ、アプリケーションプロフラムなどを送受信するための通信部１３ａと、ペアリング対象となる送信端末装置１２の表示部１２ｅに表示された、送信端末装置に係る固有のコードを画像取得する画像取得部１３ｃと、画像取得部１３ｃで取得した、送信端末装置に係る固有のコードを通信部１２ａ経由でサーバー装置１１に通知するなどの処理をする処理部１３ｂと、を備える。さらに好ましくは、受信端末装置１３は、コード格納部１３ｄおよび表示部１３ｅを備えており、処理部１３ｂは、画像取得部１３ｃで取得した送信端末装置に係る固有のコードを、コード格納部１３ｄに格納するとともに、引き継ぎの際など必要に応じて、コード格納部１３ｄに格納されている送信端末装置に係る固有のコードを表示部１３ｅに表示する。
【００１４】
図４は、図１に示すサーバー装置１１の構成図である。サーバー装置１１は、ネットワーク１４を経由して外部と通信するための通信部１１ａと、送信端末装置１２からの固有のコードの発行に関する要求を受けて、システム毎に、送信端末装置１２毎に、固有のコードを発行するコード発行部１１ｂと、受信端末装置１３から通知された、ペアリング対象となる送信端末装置に係る固有のコードを受信し、当該送信端末装置に係る固有のコードに基いて、送信端末装置１２と受信端末装置１３とをペアリングするペアリング部１１ｃと、を備える。
【００１５】
送信端末装置１２、受信端末装置１３は、ＣＰＵなどの演算処理部と、液晶表示パネルを備えた表示部と、カメラなどの撮像デバイスと、を備えたネットワーク接続可能な通信端末装置に対して、アプリケーションプログラム提供サーバー装置１５から所定のプログラムをそれぞれダウンロードして展開することにより得ることができる。ここで、送信端末装置１２は、警告などのイベントを送信するため、メッセージ送信端末装置と呼ぶことができ、受信端末装置１３は、警告などのイベントを受信するため、メッセージ受信端末装置と呼ぶことができる。
【００１６】
次に、図１に示す送受信システム１を用いたペアリング方法について説明する。
図５は、図１に示す送受信システム１において、送信端末装置１２および受信端末装置１３がアプリケーションプログラムを取得するシーケンス図である。まず、送信端末装置１２および受信端末装置１３は、アプリケーションプログラム提供先に関する情報を取得する。例えば、送信端末装置１２、受信端末装置1３は、メールなどの通信手段により、ダウンロード先情報（ＵＲＬ）を取得する。これは、サーバー装置１１またはアプリケーションプログラム提供サーバー装置１５によりなされてよい（Ｓｔｅｐ１−１）。次に、送信端末装置１２および受信端末装置１５は、ダウンロード先情報に基いてダウンロード先にネットワーク１５を経由してアクセスする（Ｓｔｅｐ１−２）。すると、送信端末装置１２および受信端末装置１３は、それぞれ、必要となるアプリケーションプログラムを取得する（Ｓｔｅｐ１−３）。送信端末装置１２および受信端末装置１３は、アプリケーションを実行することにより、図２、図３にそれぞれ示すような機能を備える。
【００１７】
図６は、図１に示す送受信システム１において、送信端末装置１２がサーバー装置１３から固有のコードを発行してもらって取得するまでのシーケンス図である。送信端末装置１２は、アプリケーションプログラムを起動し（Ｓｔｅｐ２−１）.サーバー装置１１にアクセスし、当該送信端末装置１２の固有のコード（ＩＤ）の発行を要求する（Ｓｔｅｐ２−２）。すると、サーバー装置１１は、要求元の送信端末装置１２の固有の情報（電話番号など）に基いて、当該送信端末装置１２の固有のコードを発行する（Ｓｔｅｐ２−３）。そのとき、固有のコードは、例えばＱＲコード（登録商標）などの二次元バーコードの形式で発行され、サーバー装置１１から要求してきた送信端末装置１２に送信される（Ｓｔｅｐ２−４）。送信端末装置１２は、サーバー装置１１から送信された当該送信端末装置１２に係る固有のコードをコード格納部１２ｄに格納する。本送受信システム１では、送信端末装置１２が、固有のコードの発行を受けて格納されていればよいが、受信端末装置１３も同様な手順を踏んで、受信端末装置１３に係る固有のコードをサーバー装置１１から発行してもらい、コード格納部１３ｄに格納してもよい。
【００１８】
図７は、図１に示す送受信システム１において、送信端末装置１２がペアリングする受信端末装置１３に対して固有のコードを表示し、受信端末装置１２がその固有のコードを取得してサーバー装置１１に通知してペアリングするまでのシーケンス図である。また、図８は、図７に示すシーケンスにおいて、送信端末装置１２および受信端末装置１３の概略を示す図である。
【００１９】
送信端末装置１２は、コード格納部１２ｄに格納されている自らの固有のコードを表示部１２ｅに表示する（Ｓｔｅｐ３−１）。一方、この送信端末装置１２とペアリングしたい受信端末装置１３は、画像取得部１３ｃを用いて、表示部１２ｅに表示されている送信端末装置１２に係る固有のコードを画像取得する（Ｓｔｅｐ３−２）。処理部１３ｂは、通信部１３ａによりネットワーク１５を経由してサーバー装置１１に、当該送信端末装置１２に係る固有のコードを送信する（Ｓｔｅｐ３−３）。その際、送信端末装置１２は、電話番号などの送信端末装置１２の固有の情報も通知する。サーバー装置１１は、受信端末装置１３から送信された、当該送信端末装置に係る固有のコードに基いて、送信端末装置１２と受信端末装置１３とのペアリングをペアリング処理部１１ｄにより行う（Ｓｔｅｐ３−４）。なお、Ｓｔｅｐ３−２において、受信端末装置１３は、取得した送信端末装置に係る固有のコードをコード格納部１３ｄに格納しておくとよい。
【００２０】
以上のプロセスを経ることにより、送信端末装置１２が、サーバー装置１１から発行された当該送信端末装置１２に係る固有のコードを表示し、当該送信端末装置１２とペアリングする受信端末装置１３が、当該送信端末装置１２に係る固有のコードを画像取得してサーバー装置１１に通知するため、サーバー装置１１が当該送信端末装置１２に係る固有のコードに基いて、送信端末装置１２と受信端末装置１３をペアリングすることができる。送信端末装置１２を設置する者は、サーバー装置１１から当該送信端末装置１２に係る固有のコードを発行してもらってペアリングしたい受信端末装置１３に対して表示し、受信端末装置１３を使用する者は、ペアリングしたい送信端末装置１２から当該送信端末装置１２に係る固有のコードを画像取得してサーバー装置１１に通知するという、極めて簡便な方法で、送信端末装置１２と受信端末装置１３とをペアリングすることができる。
【００２１】
図９は、図１に示す送受信システム１において、送信端末装置１２においてイベント発生があり、サーバー装置１１経由で、受信端末装置１３にイベント発生が通知されるまでのシーケンス図である。
【００２２】
送信端末装置１２において、イベント発生を感知したとする。例えばセンサからの警告を受信したとする（Ｓｔｅｐ４−１）。すると、送信端末装置１２は、サーバー装置１１に対してイベント発生に関する通知、例えば警告の受信の通知を行う（Ｓｔｅｐ４−２）。サーバー装置１１は、当該通知をしてきた送信端末装置１２の情報（電話番号などのＳＩＭ情報）に基いて、ペアリング部１１ｄに格納されている情報を参照することにより、当該送信端末装置１２とペアとなる受信端末装置１３を割り出す（Ｓｔｅｐ４−３）。そして、割り出した受信端末装置１３の情報（電話番号などのＳＩＭ情報）により、ネットワーク１５を経由して、割り出した受信端末装置１３に、イベント発生を通知する（Ｓｔｅｐ４−４）。よって、イベント発生を感知した送信端末装置１２とペアリングとなる受信端末装置１３にのみ、イベント発生、すなわちセンサからの警告を通知し、当該受信端末装置１３にイベント発生を音、画像情報として出力する（Ｓｔｅｐ４−５）。
【００２３】
このようにして、送信端末装置１２は、自ら保有するセンサ又は外付けタイプのセンサから、異常発生に関するイベントを受けると、サーバー装置１１を経由して、送信端末装置１２を担当する者が使用する受信端末装置１３のみに対して、当該イベントの発生を通知する。
【００２４】
次に、受信端末装置１３Ａが他の受信端末装置１３Ｂに、送信端末装置の固有のコードを引き継ぐ場合について説明する。図１０は、図１に示す送受信システム１において、受信端末装置１３Ａが他の受信端末装置１３Ｂに、送信端末装置１２の固有のコードを引き継ぐ際のシーケンス図である。図１１は、図１０に示すシーケンスにおいて、受信端末装置１３Ａと他の受信端末装置１３Ｂの概略を示す図である。
【００２５】
受信端末装置１３Ａは現在担当している送信端末装置に関し、別の受信端末装置１３Ｂに引き継ぎを次のようにして行うことができる。
まず、引き継ぎ元となる受信端末装置１３Ａは、引き継ぎ対象となる送信端末装置１２の固有コードを、表示部１３ｅに表示する（Ｓｔｅｐ５−１）。このとき、受信端末装置１３Ａは、Ｓｔｅｐ３−２において自らのコード格納部１３ｄに格納した、引き継ぎ対象となる送信端末装置１２の固有コードを使用することができる。
次に、引き継ぎ先となる受信端末装置１３Ｂは、引き継ぎ元となる受信端末装置１３Ａの表示部１３ｅに表示されているコードを、画像取得部１３ｃを用いて画像取得する（Ｓｔｅｐ５−２）。
そして、引き継ぎ先となる受信端末装置１３Ｂは、処理部１３ｂにより、通信部１３ａによりネットワーク１５を経由してサーバー装置１１に、当該送信端末装置１２に係る固有のコードを送信する（Ｓｔｅｐ５−３）。サーバー装置１１は、受信端末装置１３Ｂから送信された、当該送信端末装置に係る固有のコードに基いて、送信端末装置１２と受信端末装置１３Ｂとのペアリングをペアリング処理部１１ｄにより行う（Ｓｔｅｐ５−４）。
このようなプロセスを経由することにより、引き継ぎ先と引き継ぎ元の各受信端末装置１３Ａ，１３Ｂにおいて、引き継ぎ対象となる送信端末装置１２の固有のコードを送受信し、引き継ぎ先の受信端末装置１３Ｂからサーバー装置１１に通知することにより、ペアリングの更新を容易に行うことができる。
【００２６】
ここで、ペアリングの更新については、ペアリング部１１ｄは一つ前の担当者が使用する受信端末装置１３の情報を削除する必要はなく、活性化の有無などをすることにより、現在のペアリング状態を格納するようにしてもよい。
【００２７】
ペアリングの更新は、引き継ぎ元の受信端末装置１３が表示部１３ｅに引き継ぎ対象の送信端末装置１２の固有のコードを、複数、表示してもよい。
【００２８】
また、引き継ぎ元の受信端末装置１３Ａが表示部１３ｅに自己の固有のコードを表示し、引き継ぎ先の受信端末装置１３Ｂが画像取得部１３ｃで取得した受信端末装置１３Ｂの固有のコードをサーバー装置１１に通知することにより、サーバー装置１１は、ペアリング部１１ｄで格納している受信端末装置１３Ａとペアリングしている送信端末装置１２について、受信端末装置１３Ｂとペアリングして更新してもよい。これにより、一括してペアリングの更新を行うことができる。
【００２９】
図１に示すように、送受信システム１は、或るグループＧ１，・・・単位で、送信端末装置１２及び受信端末装置１３のグループが構成される。そのため、サーバー装置１１が発行する固有のコードは、そのグループに特化したコードが割り当てられる。そのコードには、グループ名に対応した文字列と、送信端末装置１２毎の割り振られた文字列と、を含んで構成される。また、コードを或る関数によって発行してもよい。これにより、グループ単位で、送信端末装置１２と受信端末装置１３とのペアリングを行うことができる。
【００３０】
本発明の実施形態に係る送受信システム、ペアリング方法及びペアリングプログラムは、医療機関における或る病棟内の各部屋内のベッド及びその周辺に設置されている一又は複数のセンサからの警告を受けて送信端末装置１２がサーバー装置１１を経由して受信端末装置１３に通知する際に使用される。担当の看護師が、自ら担当する受信端末装置１３を所持することにより、担当の患者からの異常発生を知ることができる。看護師は、センサに接続された送信端末装置１２に表示される当該送信端末装置１２に係る固有のコードを、受信端末装置１３により画像取得してサーバー装置１１にアクセスさせすればよい。専門的な知識が不要で簡便な手法により、送信端末装置１２と受信端末装置１３とをペアリングすることができる。またペアリングの更新についても簡便な手法によりできる。特に、シフト交代など短時間で引き継ぎをスムーズに行うことができる。
【００３１】
本発明の実施形態に係る送受信システム、ペアリング方法及びペアリングプログラムは、ＩｏＴ技術の一つとして、センサからの情報を送信端末装置１２が受けてサーバー装置１１を経由して特定の受信端末装置１３に通知することができる。そのため、生産現場だけでなく、オフィスでの情報共有などあらゆる分野において適用することができる。
【符号の説明】
【００３２】
１：送受信システム
１１：サーバー装置
１１ａ：通信部
１１ｂ：処理部
１１ｃ：コード格納部
１１ｄ：ペアリング部
１２，１２Ａ，１２Ｂ，１２Ｃ：送信端末装置
１２ａ：通信部
１２ｂ：処理部
１２ｄ：コード格納部
１２ｅ：表示部
１３，１３Ａ，１３Ｂ：受信端末装置
１３ａ：通信部
１３ｂ：処理部
１３ｃ：画像取得部
１３ｄ：コード格納部
１３ｅ：表示部
１４：アプリケーションプログラム提供サーバー装置
１５：ネットワーク
【図１】
2019028627.tif 000003
【図２】
2019028627.tif 000004
【図３】
2019028627.tif 000005
【図４】
2019028627.tif 000006
【図５】
2019028627.tif 000007
【図６】
2019028627.tif 000008
【図７】
2019028627.tif 000009
【図８】
2019028627.tif 000010
【図９】
2019028627.tif 000011
【図１０】
2019028627.tif 000012
【図１１】
2019028627.tif 000013